(57)【要約】【課題】下り音声回線の正常性を正確に把握する。【解決手段】保守者は固定電話機２から、下り音声回線試験用の音声信号を発する。基地局試験装置３は電話交換網１と無線基地局４とを経由して到来する下り音声回線試験用の音声信号を受信し、この音声信号をＰＣＭデータに変換し、このＰＣＭデータをＰＣＭ通信回線６経由で、保守卓装置５に送信する。保守卓装置５はＰＣＭデータを受信し、このＰＣＭデータを音声再生部５２と波形解析部５２４に送る。音声再生部５２はＰＣＭデータから可聴音信号を再生しスピーカ５２３で再生音を発する。波形解析部５２４はＰＣＭデータを解析して、下り音声回線で受けた雑音及び波形歪を求め表示部５２５に表示する。保守者は再生音と表示される雑音及び波形歪とで、下り音声回線の正常性を正確に評価できる。【選択図】　　　図１
2004064316.tif 000002
【特許請求の範囲】
【請求項１】
電話交換網に接続されている無線基地局と、前記無線基地局と無線回線で接続され前記無線基地局を試験する基地局試験装置と、前記基地局試験装置から遠隔の場所に位置し試験のための指示と試験の評価をする保守センタとを有する無線基地局試験システムであって、
前記基地局試験装置と前記保守センタとを接続する専用の通信回線を備え、
前記保守センタは、下り音声回線試験用の音声信号を生成し、この音声信号を前記電話交換網と前記無線基地局とを経由して前記基地局試験装置に送信する試験用音声信号送信手段を有し、
前記基地局試験装置は、
前記試験用音声信号送信手段から前記無線基地局を経由して送信される下り音声回線試験用の音声信号を、受信する音声信号受信手段と、
前記音声信号受信手段により受信される下り音声回線試験用の音声信号を、ＰＣＭ変換（パルスコード変調）してＰＣＭデータを出力するＰＣＭ変換手段と、
前記ＰＣＭ変換手段からのＰＣＭデータを、前記通信回線を経由して前記保守センタに送信するＰＣＭデータ送信手段とを有し、
前記保守センタは、さらに、
前記ＰＣＭデータ送信手段から前記通信回線を経由して送信されるＰＣＭデータを受信するＰＣＭデータ受信手段と、
前記ＰＣＭデータ受信手段により受信されるＰＣＭデータから、下り音声回線の正常性を評価する評価手段とを有することを特徴とする無線基地局試験システム
【請求項２】
前記評価手段は、前記ＰＣＭデータ受信手段により受信されるＰＣＭデータから可聴音を再生する音声再生手段を有することを特徴とする請求項１記載の無線基地局試験システム。
【請求項３】
前記評価手段は、前記ＰＣＭデータ受信手段により受信されるＰＣＭデータから音声信号を復元し、この音声信号を解析して雑音と波形歪を求める音声信号波形解析手段を有することを特徴とする請求項１記載の無線基地局試験システム。
【請求項４】
前記評価手段は、前記ＰＣＭデータ受信手段により受信されるＰＣＭデータから可聴音を再生する音声再生手段と、前記ＰＣＭデータ受信手段により受信されるＰＣＭデータから音声信号を復元し、この音声信号を解析して雑音と波形歪を求める音声信号波形解析手段とを有することを特徴とする請求項１記載の無線基地局試験システム。
【請求項５】
前記試験用音声信号送信手段は、電話機であることを特徴とする請求項１記載の無線基地局試験システム。
【請求項６】
前記基地局試験装置の前記音声信号受信手段は、携帯電話機機能を模擬する試験用模擬携帯電話機であることを特徴とする請求項１記載の無線基地局試験システム。
【請求項７】
電話交換網に接続されている無線基地局と、前記無線基地局と無線回線で接続され、前記無線基地局を試験する基地局試験装置と、前記基地局試験装置から遠隔の場所に位置し、試験のための指示と試験の評価をする保守センタと、前記基地局試験装置と前記保守センタとを接続する専用通信回線とを有する無線基地局試験システムの無線基地局試験方法であって、
前記保守センタから、下り音声回線試験用の音声信号を、前記電話交換網と前記無線基地局とを経由して前記基地局試験装置に送信する試験用音声信号送信ステップと、
前記試験用音声信号送信ステップにより送信され前記電話交換網と前記無線基地局とを経由して到来する下り音声回線試験用の音声信号を、受信する音声信号受信ステップと、
前記音声信号受信手段により受信される下り音声回線試験用の音声信号を、ＰＣＭ（パルスコード変調）変換してＰＣＭデータを出力するＰＣＭ変換ステップと、
前記ＰＣＭ変換手段ステップによるＰＣＭデータを、前記専用通信回線を経由して前記保守センタに送信するＰＣＭデータ送信ステップと、
前記ＰＣＭデータ送信ステップにより、前記通信回線を経由して送信されるＰＣＭデータを受信するＰＣＭデータ受信ステップと、
前記ＰＣＭデータ受信ステップにより受信されるＰＣＭデータから可聴音を再生する音声再生ステップと、
前記ＰＣＭデータ受信ステップにより受信されるＰＣＭデータから音声信号を復元し、この音声信号を解析して雑音と波形歪を求める音声信号波形解析ステップとを有することを特徴とする無線基地局試験方法。
【発明の詳細な説明】
【０００１】
【発明の属する技術分野】
本発明は、移動体通信システムの無線基地局を試験する無線基地局試験システムに関し、特に下り音声信号の正常性を確認する無線基地局試験システムと試験方法に関する。
【０００２】
【従来の技術】
従来、基地局試験装置では、例えば特開昭５９−１９６６３３号公報に開示されているように、保守者が電話機から送話した下り音声信号は、この試験に用いられる移動機が内蔵しているループバックスイッチを使用し、この受話音を保守者側の試験装置へ折り返している。
【０００３】
【発明が解決しようとする課題】
上述した試験装置では、保守者は送話音が折り返されて受話音として聞こえなかった場合、上り音声回線と下り音声回線を一つの回線として扱って試験しているため、上り下りの何れの音声系統が異常であるのか判断することができないという問題があった。
本発明の目的は、このような従来の課題を解決し、下り音声回線の正常性を正確に把握する無線基地局試験システムおよび試験方法を提供することにある。
【０００４】
【課題を解決するための手段】
本発明の無線基地局試験システムは、電話交換網に接続されている無線基地局と、前記無線基地局と無線回線で接続され前記無線基地局を試験する基地局試験装置と、前記基地局試験装置から遠隔の場所に位置し試験のための指示と試験の評価をする保守センタとを有する無線基地局試験システムであって、
前記基地局試験装置と前記保守センタとを接続する専用の通信回線を備え、
前記保守センタは、下り音声回線試験用の音声信号を生成し、この音声信号を前記電話交換網と前記無線基地局とを経由して前記基地局試験装置に送信する試験用音声信号送信手段を有し、
前記基地局試験装置は、
前記試験用音声信号送信手段から前記無線基地局を経由して送信される下り音声回線試験用の音声信号を、受信する音声信号受信手段と、
前記音声信号受信手段により受信される下り音声回線試験用の音声信号を、ＰＣＭ変換（パルスコード変調）してＰＣＭデータを出力するＰＣＭ変換手段と、
前記ＰＣＭ変換手段からのＰＣＭデータを、前記通信回線を経由して前記保守センタに送信するＰＣＭデータ送信手段とを有し、
前記保守センタは、さらに、
前記ＰＣＭデータ送信手段から前記通信回線を経由して送信されるＰＣＭデータを受信するＰＣＭデータ受信手段と、
前記ＰＣＭデータ受信手段により受信されるＰＣＭデータから、下り音声回線の正常性を評価する評価手段とを有することを特徴とする。
【０００５】
また、本発明の無線基地局試験システムは、前記評価手段が、前記ＰＣＭデータ受信手段により受信されるＰＣＭデータから可聴音を再生する音声再生手段を有することを特徴とする。
【０００６】
さらに、本発明の無線基地局試験システムは、前記評価手段が、前記ＰＣＭデータ受信手段により受信されるＰＣＭデータから音声信号を復元し、この音声信号を解析して雑音と波形歪を求める音声信号波形解析手段を有することを特徴とする。
【０００７】
また、本発明の無線基地局試験システムは、前記評価手段が、前記ＰＣＭデータ受信手段により受信されるＰＣＭデータから可聴音を再生する音声再生手段と、前記ＰＣＭデータ受信手段により受信されるＰＣＭデータから音声信号を復元し、この音声信号を解析して雑音と波形歪を求める音声信号波形解析手段とを有することを特徴とする。
【０００８】
さらに、本発明の無線基地局試験システムは、前記試験用音声信号送信手段が、電話機であることを特徴とする。
【０００９】
また、本発明の無線基地局試験システムは、前記基地局試験装置の前記音声信号受信手段が、携帯電話機機能を模擬する試験用模擬携帯電話機であることを特徴とする。
【００１０】
さらに、本発明の無線基地局試験方法は、電話交換網に接続されている無線基地局と、前記無線基地局と無線回線で接続され、前記無線基地局を試験する基地局試験装置と、前記基地局試験装置から遠隔の場所に位置し、試験のための指示と試験の評価をする保守センタと、前記基地局試験装置と前記保守センタとを接続する専用通信回線とを有する無線基地局試験システムの無線基地局試験方法であって、
前記保守センタから、下り音声回線試験用の音声信号を、前記電話交換網と前記無線基地局とを経由して前記基地局試験装置に送信する試験用音声信号送信ステップと、
前記試験用音声信号送信ステップにより送信され前記電話交換網と前記無線基地局とを経由して到来する下り音声回線試験用の音声信号を、受信する音声信号受信ステップと、
前記音声信号受信手段により受信される下り音声回線試験用の音声信号を、ＰＣＭ（パルスコード変調）変換してＰＣＭデータを出力するＰＣＭ変換ステップと、
前記ＰＣＭ変換手段ステップによるＰＣＭデータを、前記専用通信回線を経由して前記保守センタに送信するＰＣＭデータ送信ステップと、
前記ＰＣＭデータ送信ステップにより、前記通信回線を経由して送信されるＰＣＭデータを受信するＰＣＭデータ受信ステップと、
前記ＰＣＭデータ受信ステップにより受信されるＰＣＭデータから可聴音を再生する音声再生ステップと、
前記ＰＣＭデータ受信ステップにより受信されるＰＣＭデータから音声信号を復元し、この音声信号を解析して雑音と波形歪を求める音声信号波形解析ステップとを有することを特徴とする。
【００１１】
【発明の実施の形態】
次に、本発明の実施の形態について図面を参照して詳細に説明する。
【００１２】
図１は、本発明の実施形態の構成ブロック図である。
【００１３】
図１を参照して、本発明の無線基地局試験システムは、保守センタに設けられ電話交換網１に接続して下り音声回線試験用の音声信号を出力する固定電話機２と、電話交換網１と接続するとともに無線回線を介し基地局試験装置３と接続する無線基地局４と、固定電話機２から送信され無線基地局４を介し受信する下り音声回線試験用の音声信号を、ＰＣＭ変換（パルスコード変調）してＰＣＭデータを得、このＰＣＭデータを送信する基地局試験装置３と、基地局試験装置３からのＰＣＭデータを保守センタに送るための専用のＰＣＭ通信回線６と、保守センタに設けられ基地局試験装置３が出力するＰＣＭデータをＰＣＭ通信回線６経由で受信し下り音声回線試験用の音声信号の品質を試験する保守卓装置５とを備える。通常、固定電話機２は保守卓装置５のそばに設置され、保守卓装置５は例えばパーソナルコンピュータで実現されている。また、基地局試験装置３は無線基地局４に対応して無線基地局のそばに常設されており、その設置場所は、ほとんどの場合において無人である。なお、固定電話機２は保守卓装置５に内蔵させる構成としてもよい。
【００１４】
基地局試験装置３は、携帯電話機能部３１と、ＰＣＭ変換部３２と、ＰＣＭデータ送信部３３を有す。
【００１５】
携帯電話機能部３１は、一般的な携帯電話機の機能を模擬する試験用模擬携帯電話機で、無線基地局４と無線通信を行い、電話交換網１を介し固定電話機２と音声通信を行い、下り音声回線試験用の音声信号を受信して、この音声信号をＰＣＭ変換部３２に送る。
【００１６】
ＰＣＭ変換部３２は、携帯電話機能部３１が受信する下り音声回線試験用の音声信号をＰＣＭ（パルスコード変調）変換してＰＣＭデータを得、このＰＣＭデータをＰＣＭデータ送信部３３に送る。
【００１７】
ＰＣＭデータ送信部３３は、ＰＣＭ変換部３２からのＰＣＭデータを、ＰＣＭ通信回線６を経由して、保守卓装置５に送信する。
【００１８】
保守卓装置５は、ＰＣＭデータ受信部５１と、記憶部５２１と音声再生部５２２とスピーカ５２３と波形解析部５２４と表示部５２５とを有する評価部５２と、保守者が指示を入力する操作部５３とを有する。評価部５２の記憶部５２１と音声再生部５２２とスピーカ５２３と波形解析部５２４と表示部５２５は、パソコンに付帯している機能を利用して構成されてもよい。記憶部５２１の記憶媒体は、フロッピー（登録商標）ディスクやメモリカードでもよい。
【００１９】
ＰＣＭデータ受信部５１は、基地局試験装置３のＰＣＭデータ送信部３３から、ＰＣＭ通信回線６を経由して、ＰＣＭデータを受信して、このＰＣＭデータを評価部５２に送る。
【００２０】
評価部５２の記憶部５２１は、ＰＣＭデータ受信部５１からのＰＣＭデータを記憶し、保守者の操作部５３からの指示により、ＰＣＭデータを読み出し、このＰＣＭデータを音声再生部５２２と波形解析部５２４とのうちのいずれか又は両者に送る。
【００２１】
音声再生部５２は、ＰＣＭデータ受信部５１からのＰＣＭデータまたは記憶部５２１からのＰＣＭデータより、可聴音信号を再生しスピーカ５２３に送る。
【００２２】
スピーカ５２３は、音声再生部５２２からの可聴音信号により再生音を発する。
【００２３】
波形解析部５２４は、ＰＣＭデータ受信部５１からのＰＣＭデータまたは記憶部５２１からのＰＣＭデータを解析して、雑音と波形歪を求め、表示部５２５に表示する。
【００２４】
以下、図１を参照して動作を説明する。
【００２５】
保守者は、無線基地局４の下り音声系統の正常性を確認する場合に、まず固定電話機２から基地局試験装置３に予め付与されている識別番号をダイヤルし発呼する。これに対して、基地局試験装置３に内蔵される携帯電話機能部３１は自動応答し無線電話通信を行う。この無線電話通信は一般的な携帯電話の音声通信と同様である。
【００２６】
次に、保守者が、固定電話機２から、下り音声回線試験用の音声信号を発すると、基地局試験装置３の携帯電話機能部３１は、電話交換網１と無線基地局４とを経由して、この音声信号を受信しＰＣＭ変換部３２に送る。このとき、携帯電話機能部３１により受信される音声信号は、下り音声回線による雑音と波形歪を受けている。
【００２７】
ＰＣＭ変換部３２は、携帯電話機能部３１が受信する下り音声回線試験用の音声信号をＰＣＭ（パルスコード変調）変換してＰＣＭデータを得、このＰＣＭデータをＰＣＭデータ送信部３３に送る。このＰＣＭデータは、音声信号が下り音声回線により受けた雑音と波形歪も、忠実に、データ化されているＰＣＭデータである。
【００２８】
ＰＣＭデータ送信部３３は、ＰＣＭ変換部３２からのＰＣＭデータを、ＰＣＭ通信回線６を経由して、保守卓装置５に送信する。
【００２９】
保守卓装置５のＰＣＭデータ受信部５１は、基地局試験装置３のＰＣＭデータ送信部３３から、ＰＣＭ通信回線６を経由して、ＰＣＭデータを受信して、このＰＣＭデータを評価部５２に送る。このとき、ＰＣＭデータ受信部５１により受信されるＰＣＭデータは、極めて高い伝送品質で伝送されてくるデータであるので、このＰＣＭデータには、音声信号が下り音声回線から受けた雑音と波形歪が、そのまま含まれている。
【００３０】
評価部５２の記憶部５２１は、ＰＣＭデータ受信部５１からのＰＣＭデータを記憶し、保守者の操作部５３からの指示により、ＰＣＭデータを読み出し、このＰＣＭデータを音声再生部５２２と波形解析部５２４とに送る。
【００３１】
音声再生部５２は、ＰＣＭデータ受信部５１からのＰＣＭデータと記憶部５２１から読み出されたＰＣＭデータのうちのいずれかのＰＣＭデータより、可聴音信号を再生しスピーカ５２３に送り、スピーカ５２３は、可聴音信号の入力により再生音を発する。保守者は、スピーカ５２３からの再生音を聴くことにより音質の良否を判断し、下り音声回線の正常性を評価する。
【００３２】
波形解析部５２４は、ＰＣＭデータ受信部５１からのＰＣＭデータと記憶部５２１から読み出されたＰＣＭデータのうちのいずれかのＰＣＭデータから音声信号を復元し、この音声信号を解析して、下り音声回線試験用の音声信号が下り音声回線で受けた雑音と波形歪を求め、表示部５２５に表示する。保守者は、表示部５２５に表示される雑音と波形歪を監視することで下り音声回線の正常性を評価する。
【００３３】
保守者は、再生音と、表示される雑音と波形歪と、の両者で、下り音声回線の正常性を正確に評価できる。また、保守者は、所望のとき、操作部５３から指示で、記憶部５２１からのＰＣＭデータで、下り音声回線の正常性を評価できる。
【００３４】
固定電話機からの送信する下り音声回線試験用の音声信号は、保守者自身の音声による音声信号のほか、保守者が予め用意した音の音声信号でも良い。
【００３５】
【発明の効果】
以上説明したように、本発明は、基地局試験装置が、保守センタから下り音声回線を伝送されてくる試験用音声信号を受信してＰＣＭデータに変換し、このＰＣＭデータを専用のＰＣＭ通信回線経由で保守卓装置に戻すよう構成されているので、受信した試験用音声信号を忠実に保守卓装置に戻すことが出来るため、下り音声回線の伝送品質を正確に把握出来るという効果がある。
【００３６】
また、本発明は、ＰＣＭ通信回線経由で受信するＰＣＭデータから、音声を再生するとともに、試験用音声信号が下り音声回線で受けた雑音と波形歪を解析して表示するよう構成されているので、下り音声回線の伝送品質を、より精密に評価できるという効果がある。
【００３７】
さらに、本発明は、無人の場所に設備されている無線基地局の近傍に設置される基地局試験装置と、保守卓装置とがＰＣＭ通信回線で接続されるよう構成されているので、保守者は、保守卓装置から遠隔操作で下り音声回線の試験を実行できるという効果がある。
【図面の簡単な説明】
【図１】本発明の実施形態の構成ブロック図である。
【符号の説明】
１　　電話交換網
２　　固定電話機
３　　基地局試験装置
３１　　携帯電話機能部
３２　　ＰＣＭ変換部
３３　　ＰＣＭデータ送信部
４　　無線基地局
５　　保守卓装置
５１　　ＰＣＭデータ受信部
５２　　評価部
５２１　　記憶部
５２２　　音声再生部
５２３　　スピーカ
５２４　　波形解析部
５２５　　表示部
５３　　操作部
６　　ＰＣＭ通信回線
【図１】
2004064316.tif 000003